(57)【要約】      （修正有）【課題】折り畳んで占有スペースを狭小化可能な折畳み式ストレッチャーを提供する。【解決手段】ベッド部２はベッド部本体部位４の両端部に頭側部位５及び足側部位６を上方揺動可能に枢着し、ベッド部２の直下に正逆回転可能に配置した送りねじ１０を、ベッド部本体部位４の下方に位置する送りねじ本体１２と、該送りねじ本体１２と自在継手１３を介して連結して足側部位６の下方に位置する伸縮自在な連結杆１４と、該連結杆１４の端部に自在継手１５を介して連結したハンドル１６とを有していることにより、ベッド部２の直下に送りねじ１０があっても、頭側部位５及び足側部位６を確実に上方揺動させてベッド部２を折り畳み可能にして、車両内に空きスペースを確保可能にする。【選択図】図３
0003204323.tif 000002
【実用新案登録請求の範囲】
【請求項１】
移動可能な台車部の上方にベッド部を昇降機構を介して設置し、前記ベッド部はベッド部本体部位の両端部に頭側部位及び足側部位を上方揺動可能に枢着し、前記昇降機構はＸ状に交差させて、一端部を台車部とベッド部へ枢着する固定端とする共に、他方の端部を台車部とベッド部に水平方向に移動可能に取り付ける移動端とした一対のパンタグラフと、前記ベッド部の下方に配置して前記ベッド部の足側で操作可能な送りねじ部とにより構成し、該送りねじ部は、ベッド部の直下に正逆回転可能に配置した送りねじと、上方の前記移動端に設けた、前記送りねじに螺嵌するナット部とを有し、前記送りねじは、前記ベッド部本体部位の下方に位置する送りねじ本体と、該送りねじ本体と自在継手を介して連結して前記足側部位の下方に位置する伸縮自在な連結杆と、該連結杆の端部に自在継手を介して連結したハンドルとを有していることを特徴とする折畳み式ストレッチャー。
【請求項２】
前記連結杆を、複数の大きさの異なる筒部材による入れ子構造とし、且つ外側の筒部材に対し内側の筒部材を、軸芯を中心として回転しない構造としたことを特徴とする請求項１記載の折畳み式ストレッチャー。
【考案の詳細な説明】
【技術分野】
【０００１】
本考案は、要介護者送迎業者、病院、葬儀業者、警察、介護施設等で、対象者の搬送、入浴等を行う際に使用するストレッチャーにおいて、折り畳んで占有スペースを狭小化可能なストレッチャーに関する。
【背景技術】
【０００２】
従来、一般的なストレッチャーは、台車部の上方にパンタグラフ機構部を介してベッド部を配置し、パンタグラフ機構部の昇降手段は、ベッド部の下方に配置された送りネジ方式を採用しており、足側に突出したハンドルの回転操作により、ベッド部を昇降させる様になっている（例えば、特許文献１参照）。
【先行技術文献】
【特許文献】
【０００３】
【特許文献１】特許第３５４３２９３号公報
【考案の概要】
【考案が解決しようとする課題】
【０００４】
例えば、要介護者を目的地に送迎する、所謂介護タクシーは、通常車椅子２台を積載可能であるが、ストレッチャーを利用して移動する必要がある要介護者もおり、このストレッチャーは１台しか載らないことから、ストレッチャーを利用した要介護者を送迎後、車椅子を利用する要介護者から連絡があった場合には、一先ず事業所等に戻ってストレッチャーを降ろした後でないと迎えに行けず、迅速に対応出来ないなど、解決せねばならない課題があった。
【課題を解決するための手段】
【０００５】
本考案は、上記従来技術に基づく、送りねじ式のストレッチャーを載せると他の要介護者を載せられない課題に鑑み、ベッド部はベッド部本体部位の両端部に頭側部位及び足側部位を上方揺動可能に枢着し、前記ベッド部の直下に正逆回転可能に配置した送りねじを、ベッド部本体部位の下方に位置する送りねじ本体と、該送りねじ本体と自在継手を介して連結して前記足側部位の下方に位置する伸縮自在な連結杆と、該連結杆の端部に自在継手を介して連結したハンドルとを有していることによって、送りねじがあっても頭側部位及び足側部位を確実に上方揺動させて前記ベッド部を折り畳み可能にして、上記課題を解決する。
【考案の効果】
【０００６】
要するに本考案は、移動可能な台車部の上方にベッド部を昇降機構を介して設置し、前記ベッド部はベッド部本体部位の両端部に頭側部位及び足側部位を上方揺動可能に枢着し、前記昇降機構はＸ状に交差させて、一端部を台車部とベッド部へ枢着する固定端とする共に、他方の端部を台車部とベッド部に水平方向に移動可能に取り付ける移動端とした一対のパンタグラフと、前記ベッド部の下方に配置して前記ベッド部の足側で操作可能な送りねじ部とにより構成し、該送りねじ部は、ベッド部の直下に正逆回転可能に配置した送りねじと、上方の前記移動端に設けた、前記送りねじに螺嵌するナット部とを有しているので、上記従来技術の送りねじ式のストレッチャーと同じ作用効果を具備させることが出来る。
又、前記送りねじは、前記ベッド部本体部位の下方に位置する送りねじ本体と、該送りねじ本体と自在継手を介して連結して前記足側部位の下方に位置する伸縮自在な連結杆と、該連結杆の端部に自在継手を介して連結したハンドルとを有しているので、頭側部位及び足側部位を略９０度上方に揺動させた折り畳み状態にすることが出来るため、使用後に折り畳めば、車に積載しても空きスペースが形成されるため、折り畳んだストレッチャーを積んだまま他の要介護者の送迎を行うことが出来、他の目的で使用する場合であっても、未使用時の占有スペースの狭小化を図ることが出来る。
【０００７】
前記連結杆を、複数の大きさの異なる筒部材による入れ子構造とし、且つ外側の筒部材に対し内側の筒部材を、軸芯を中心として回転しない構造としたので、前記連結杆を簡単な構造で実現させることが出来る等その実用的効果甚だ大である。
【図面の簡単な説明】
【０００８】
【図１】本考案に係る折畳み式ストレッチャーの正面図である。
【図２】図１のＡ−Ａ断面の要部拡大図である。
【図３】図１の折畳み式ストレッチャーの折り畳み状態の正面図である。
【図４】図１の折畳み式ストレッチャーの展開状態を示す要部拡大断面図である。
【図５】図１の折畳み式ストレッチャーの折畳み状態を示す要部拡大断面図である。
【考案を実施するための形態】
【０００９】
以下、本考案に係る折畳み式ストレッチャーの実施例を図面に基づき説明する。
本考案に係る折畳み式ストレッチャーにあっては、移動可能な台車部１の上方にベッド部２を昇降機構３を介して設置し、ベッド部２はベッド部本体部位４の両端部に頭側部位５及び足側部位６を上方揺動可能に枢着し、具体的にはベッド部本体部位４の両端側の上方に頭側部位５及び足側部位６を重ねて枢着することで、展開状態における頭側部位５及び足側部位６の下方揺動を防止している。
【００１０】
昇降機構３はＸ状に交差させた一対のパンタグラフ７、８と、ベッド部２の下方に配置して該ベッド部２の足側で操作可能な送りねじ部９とにより構成し、一対のパンタグラフ７、８の頭側の端部を台車部１とベッド部２へ軸着する固定端とする共に、足側の端部を台車部１とベッド部２に水平方向に移動可能に取り付ける移動端としている。
【００１１】
送りねじ部９は、ベッド部２の直下に正逆回転可能に配置した送りねじ10と、上方の移動端（外側のパンタグラフ９の足側の端部）に設けた、送りねじ10に螺嵌するナット部11とを有している。
【００１２】
送りねじ10は、ベッド部本体部位４の下方に位置する送りねじ本体12と、該送りねじ本体12と自在継手13を介して連結して足側部位６の下方に位置する伸縮自在な連結杆14と、該連結杆14の端部に自在継手15を介して連結したハンドル16とを有している。
【００１３】
尚、外側のパンタグラフ７は、頭側端部を台車部１に対する固定端とすると共に、尻側端部をベッド部２に対する移動端とし、一対のサイドフレーム17、17a と、該サイドフレーム17、17a の下端部の連結フレーム18と、サイドフレーム17、17a の上端部間に架設した、送りねじ部９におけるナット部11の固定板19とを有し、該固定板19の両端部に軸20、20a を固着して、サイドフレーム17、17a の上端部に回転可能に挿設することで、送りねじ本体12の正逆回転によりナット部11を固定板19を同じ姿勢を維持させたまま進退しても、一対のパンタグラフ７、８を揺動可能にしている。
又、内側のパンタグラフ８は、頭側端部をベッド部２に対する固定端とすると共に、尻側端部を台車部１に対する移動端とし、一対のサイドフレーム21、21a と、該サイドフレーム21、21a の両端部の連結フレーム22、22a とを有している。
【００１４】
送りねじ10は、送りねじ本体12の頭側端部をベッド部２のベッド部本体部位４の下部に設けた取付板23に正逆回転可能に取り付け、ハンドル16をベッド部２の足側部位６の端側下部に設けた取付板24に正逆回転可能に取り付け、送りねじ本体12のナット部11からの突端部に自在継手13を、ハンドル16の軸25の取付板24からの突端部に自在継手15を固着し、該軸25に対しハンドル本体26を着脱可能又は折り曲げ可能に取り付けてハンドル16と成している。
【００１５】
連結杆14は、大きい角筒部材27内に小さい角筒部材28を摺接状態で内嵌して伸縮自在としたもので、而も大きい角筒部材27に対し角筒部材28が軸芯を中心に回転不能として、ハンドル16の回転を送りねじ本体12に確実に伝達可能としている。
つまり、連結杆14を、複数の大きさの異なる筒部材による入れ子構造とし、且つ外側の筒部材に対し内側の筒部材を、軸芯を中心として回転しない構造にするのが好ましいが、要するに伸縮自在で且つハンドル16の回転を送りねじ本体12に確実に伝達可能なものであれば何でも良い。
【００１６】
尚、図示しないが、ベッド部本体部位４に対する頭側部位５及び足側部位６の角度を保持可能な手段を講じるのが好ましい。
【００１７】
次に、本考案に係る折畳み式ストレッチャーの作用について説明する。
この折畳み式ストレッチャーを折り畳むに際し、ベッド部２が折り畳み可能であること、送りねじ10が屈曲は送りねじ本体12と連結杆14との間の自在継手13により屈曲すること、足側部位６の枢着部位と送りねじ10の屈曲部位とが離れていることに起因する、この屈曲部位とハンドル16との間が離間していくことを連結杆14の伸張により対応可能なこと、及びハンドル16と連結杆14の間の自在継手15によりこの伸張が滞りなく行えることにより足側部位６の上方揺動を可能にしている。
【００１８】
又、展開状態において、送りねじ本体12と連結杆14とが一直線上に位置していなくても、自在継手13、17によりハンドル16の回転操作を連結杆14を介して送りねじ本体12に確実に伝えることが可能になる。
【符号の説明】
【００１９】
１      台車部
２      ベッド部
３      昇降機構
４      ベッド部本体部位
５      頭側部位
６      足側部位
７、８  パンタグラフ
９      送りねじ部
10      送りねじ
11      ナット部
12      送りねじ本体
13      自在継手
14      連結杆
15      自在継手
16      ハンドル
27、28  筒部材
【図１】
0003204323.tif 000003
【図２】
0003204323.tif 000004
【図３】
0003204323.tif 000005
【図４】
0003204323.tif 000006
【図５】
0003204323.tif 000007